(57)【要約】      （修正有）【課題】脇の無駄毛を最もオーソドックスに安全カミソリで処理した後に、無駄毛のゴミを簡単に処理するための腋ムダ毛ごみ受け紙ポケットを提供する。【解決手段】腋の真下にムダ毛を受ける紙製の袋状のゴミポケットを体に装着するために裏面上部に医療用ばん創膏テープを取り付け、使用前にはがして体に装着させ、ムダ毛処理後、ゴミポケットごと捨てる。【選択図】図１
2005343571.tif 000002
【特許請求の範囲】
【請求項１】
腋の無駄毛を個人一人で  古く昔からの方法で処理する場合、安全カミソリを使用するが、専用フォームやクリームを使用しても処理後の無駄毛のゴミが、パラパラと脇腹や胸前に落ちてきて不快なので、そのゴミを薄い紙製のポケット状の袋で受けるようにしたこと。
【請求項２】
その薄紙はさらさらとした紙でクリーム状のもの、泡状のもの（油性のもの）をはじく性格ののものを選んでいること。
【請求項３】
この薄紙が体に引っ付くように、裏面上部に医療用ばん創膏用のテープ（かぶれないように）を取り付けたこと。このテープは両而テープで毎回使用時にはがして使う。
【請求項４】
薄紙の形はやや丸みをもたせた小船のような形で、紙を折りたたんであるものを広げて使用する。底が半月型で長さが１０センチ、深さが３センチ、上に１センチのテープを付け、半月型の最もマチの幅のある部分が３センチとする。
【請求項５】
無駄毛をオーソドックスに安全カミソリで処理すると両手がふさがってしまうので、紙製ポケットを裏面テープで取り付けるだけで簡単自己無駄毛処理ができる簡便性。
【請求項６】
無駄毛処理後、ごみは紙製ポケットの中へ入ったまま、ポケットごと捨ててしまえる後始末の簡単さ。
【請求項７】
毎回、清潔に無駄毛処理時に、新しく紙製ポケットを取り出して使用する、使い捨てとしていること。
【発明の詳細な説明】
【技術分野】
【０００１】  本発明は、個人で脇の無駄毛を最もオーソドックスに安全カミソリで処理するための、また、無駄毛のゴミを簡単に処理するための紙に関するゴミ受けポケット。
【背景技術】
【０００２】  現在のところ個人一人で無駄毛を処理するための手助けとなる様な従来品はないと思われる。【０００３】  紙は、クリームなどの油性のものをはじく、折りたためる薄い素材のものが良い。【０００４】  体につける医療用ばん創膏テープは、肌につけて、紙にも両面でも落ちないものを使用させていただきたい。【０００５】    紙の折りたたみ方は、そのまま折りたたむしかないように思われる。【０００６】  今日脱毛技術が発達して普及する現代、本発明は時代遅れのように思われそうであるが、安全カミソリで自己処理する場合、カミソリの方向を脇のくぼみに当てて、上から下へ刃を下ろしたり、ナナメに刃の向きをかえたりするのは、結構難しいものである。個人一人で無駄毛処理するには、利き手にカミソリ（刃物）、片方の手で肌を押さえる必要があり、同時に瞬時にゴミが発生してくるのでゴミの始末が一人では困難である。また、この無駄毛処理という作業はきめ細やかさが求められ、その上刃物を持っての作業なので、安全に気を配らないと少しの不注意でケガをする危険性をもっている。このようなことから、個人一人で安心して又集中して無駄毛の処理ができ、またすぐに発生してくるゴミの対応のできるようなものとして、紙を利用したポケット状の袋のようなものを作り、裏にテープを付けて体に張り付け、ゴミを受ける受け皿のように使うことで無駄毛の処理を個人で行なうことを可能にしたい。図１参照
【発明の開示】
【発明が解決しようとする課題】
【０００７】  本発明は、最も古いオーソドックスな安全カミソリを使用する方法で無駄毛処理を個人一人で行なうとき、利き手で安全カミソリ（刃物）をもちながら、また片方の手で肌を押さえながら、また同時に発生するゴミを受けとめながらという三つの状態が重なっしまう。三つの動作を一度幾に二本の両手で行なうことは無理なので、主目的は無駄毛を安全に集中して処理できるようにすること。【０００８】  二つには同時に発生してくるゴミに対応しきれない状態であるので、このゴミ対策を行えるようにする。この無駄毛のゴミはクリームやフォームを使用していても、脇腹や胸前に落ちてくると大変不快なので、簡単にこれらを受けとめ処理できるようにする。
【課題を解決するための手段】
【０００９】  そして、本発明は上記目的を達成するために、腋の無駄毛を処理する前にこの発明品である薄紙ポケットを体にまず装着させる。この準備が両手を自由にし、刃物を持ちながらの処理作業を安全に変えることへつながる。ポケット裏面上部に肌にやさしくかぶれない両面ばん創膏用テープをとりつけて体に装着させる。使用直前にはがして使用する。【００１０】  また、第２の課題解決手段は薄いつるつるの油をはじく油性の紙で立体的なポケット状の袋を作るようにしたことで、クリームやフォームなどの付いたゴミも、スムーズにポケット内に誘導させ、他の無駄毛のゴミも同様にポケット内へ落下させてゴミの対策に対応するようにしたことである。【００１１】  上記第１の課題解決手段による作用は次のとおりである。この薄紙ポケットを腋の無駄毛を処理したいところの真下あたりに取り付け、その裏面上部に肌にやさしくかぶれない両面ばん創膏用テープをとりつけて使用直前にはがして使用することで両手が空き、無駄毛処理に集中して両手が使え、個人一人での安全な無駄毛処理へと導ける。【００１２】  また、第２の課題解決手段による作用は、薄紙ポケットは紙の素材はつるつるとしたすべりの良い油性のものにしたので、クリームやフォームなどを使用した場合にもスムーズに紙の上を流れ入ってくれ、いわば無駄毛ごみのチリトリの役目を果たす。【００１３】  ポケットの大きさは横幅が腋の下いっぱいの長さがあり、無駄毛のごみを十分受けとめる深さのあるマチ付きの袋状のものなので、自動的に真下に装着したポケットの中にごみが入り、処理後の始末は紙ポケットごとごみを捨ててしまえば良いだけで簡単である。【００１４】    毎回、使用する前に取り出して使うと清潔である。
【発明の効果】
【００１５】    上述したように本発明の腋ムダ毛処理ごみポケットは、体に取り付けるだけで片手だと難しい無駄毛処理を簡単にする。両手が使えるので、安心して安全カミソリ（刃物）を持つことができる。また、肌荒れしにくいばん創膏用の両面テープで取り付けるので安心して装着でき、毎回使用直前にテープをはがして取り付けるだけで良い。【００１６】  体に腋ムダ毛処理ごみポケットを装着させ、処理していくとゴミができるが、腋の真下に取り付けたポケット内に、クリームごと、フォームごとの無駄毛のゴミが流れ落ちて入ってきて、言わば塵取りのような役目を果たす。その後は体からごみポケットをはがし、ごみの入ったポケットごと折りたたんで捨てれば良く、手が汚れず後始末が簡単で、毎回新しいものを取り付けるので清潔ある。
【発明の実施するための最良の形態】
【００１７】  以下、本発明の実施の形態を図１に基づいて説明する。
【００１８】  大きさは処理後の無駄毛を受け取るのに腋の下いっぱいに十分な長さが必要で、その幅は１０センチ弱位とする。
【００１９】  縦の長さはあまり無駄毛から離れていればゴミが散らばる可能性があるので、あまり距離がないほうが良く、４センチとする。
【００２０】  深さは、十分無駄毛を受けとめれるように  ３センチとする。
【００２１】  無駄毛がポケット内に入りやすくするためにポケットにマチ幅をつくり、底のマチの形を半月型にし立体的にしてふくらみをもたせる。半月型の最もふくらんだ部分を３センチとする。
【００２２】  無駄毛がポケットにするするっと滑り落ちて入ってくれるように、薄紙はつるつるとした油をはじく素材が良い。（クリーム、フォームを使用する場合が多いため）
【００２３】  薄紙のポケット状の袋を体に装着させるのに、肌にかぶれないばん創膏用の両面テープをポケットの裏面上部に取り付ける。テープは１センチ位の幅があると良い。
【００２４】  以下、上記構成の動作を説明する。まず、この紙製腋ムダ毛ごみ処理ポケットを取り出し、折りたたまれている横マチ幅を広げて形を整える。この紙製腋ムダ毛ごみ処理ポケットをちょうど処理したい腋の真下に取り付ける場所にもっていき、場所を定め、裏面上部にある体側に装着させるテープをはがす。体にポケットを取り付けれました。
【００２５】  これで両手が空き、オーソドックスな方法であるが安全カミソリでムダ毛を処理するときに、同時にすぐに発生して落ちてきてしまうゴミを心配することなく、安心して専念してムダ毛の処理作業に集中できる。
【００２６】  腋の下いっぱいにポケットを取り付け、ムダ毛の処理を安全カミソリで個人で行ない、と同時にできてくるムダ毛のゴミが落下してきて自動的に、真下に装着したポケット内に入ってきて、その後はこのポケットごとゴミ箱へ捨てるだけで良い。ムダ毛処理後はあとティッシュで清潔に拭きとって終了。
【実施例】
【００２７】  現在のところ従来品はないと思われる。個人一人で無駄毛を処理することを手助けするようなものはない（市販品）と思われる。
【図面の簡単な説明】
【００２８】
【図１】  本発明の実施形態を示す腋ムダ毛ごみ処理ポケットの外観図
【図１】
2005343571.tif 000003